Podtech/llm-jp-corpus-v4-ja_patent huggingface dataset:
(57)【要約】      （修正有）【課題】背中の手の届かない所が痒く、他人に頼らず薬を付けることができるクスリ塗を提供する。【解決手段】孫の手に薬付け用スポンジを付けて構成した。尚、スポンジは切り目を入れたワンタッチ固定製品とし着脱を容易にした。孫の手下部に薬付けスポンジを付けた事により、背中（手届かない個所）に楽に薬を塗る事が出来る。孫の手下部に薬付け用の新しいスポンジを取り付けて使用し、使用後は簡単に取り外しが出来る。【選択図】図２
0003150402.tif 000002
【実用新案登録請求の範囲】
【請求項１】
孫の手（背な掻き）本体（図１）の下部（図２）にスポンジを付けた背な掻き
【考案の詳細な説明】
【技術分野】
【０１】この発明は孫の手（背な掻き）本体の下部に薬り受けを付け薬を塗り安くしたものである。
【背景技術】
【０２】従来の孫の手は背な掻きのみに使用
【発明の開始】
【発明が解決しようとする課題】
【０３】背中の痒い処に薬を塗りたい
【課題を解決するための手段】
【０４】背な掻き本体の下部に薬付け用のスポンジを取り付けて使用。使用後は簡単に取り外しが出来る様にした。
【発明の効果】
【０５】背な掻き本体に薬付け用のスポンジを付けた事により背中（手届かない個所）に楽に薬を塗る事が出来る。又使用済のスポンジの取り外しは固定バンドに貼り付けて在るので簡単に着脱が出来る。
【発明を実施する為の最良の形態】
【０６】以下本発明を実施する為の最良の形態について説明する。
孫の手本体（１図）下部、背掻き突起の箇所に固定貼り付け用バンドを付けて在るので薬塗りつけ用スポンジの着脱が簡単に出来る。
【図面の簡単な説明】
【０７】
【図１】
【図２】側面図
【図３】
【符号の説明】
【０８】
【符号の説明】
【０８】１孫の手本体
２薬付け用スポンジを付けた孫の手
３薬付けスポンジ（取り換え用）
【図１】
0003150402.tif 000003
【図２】
0003150402.tif 000004
【図３】
0003150402.tif 000005
【手続補正書】
【提出日】平成21年3月11日(2009.3.11)
【手続補正１】
【補正対象書類名】明細書
【補正対象項目名】全文
【補正方法】変更
【補正の内容】
【考案の詳細な説明】
【技術分野】
【０１】この考案は孫の手（背な掻き）本体の下部に薬り受けを付け薬を塗り安くしたものである。
【背景技術】
【０２】従来の孫の手は背な掻きのみに使用
【考案の開示】
【考案が解決しようとする課題】
【０３】背中の痒い処に薬を塗りたい
【課題を解決するための手段】
【０４】背な掻き本体の下部に薬付け用のスポンジを取り付けて使用。使用後は簡単に取り外しが出来る様にした。
【考案の効果】
【０５】背な掻き本体に薬付け用のスポンジを付けた事により背中（手届かない箇所）に楽に薬を塗る事が出来る。又使用済のスポンジの取り外しは固定バンドに貼り付けて在るので簡単に着脱が出来る。
【考案を実施する為の最良の形態】
【０６】以下本考案を実施する為の最良の形態について説明する。
孫の手本体（１図）下部、背掻き突起の箇所に固定貼り付け用バンドを付けて在るので薬塗りつけ用スポンジの着脱が簡単に出来る。
【図面の簡単な説明】
【０７】
【図１】正面図
【図２】側面図
【図３】正面図
【符号の説明】
【０８】１孫の手本体
２薬付け用スポンジを付けた孫の手
３薬付けスポンジ（取り換え用）
(57)【要約】      （修正有）【課題】消費電力が少なく、長寿命化でメンテナンスの消費を削減することができる設備を備えたバスおよび路面電車の停留所を提供する。【解決手段】太陽光発電パネルソーラーユニットより供給された電源を設置し、複数個のＬＥＤをユニット基板に取り付けた強化ガラス樹脂系照明装置と利用者の持つ携帯端末装置を利用して検索、決裁することが可能なリーダー・ライターとを組み合わせたバスおよび路面電車の停留所である。【選択図】図４
0003150409.tif 000002
【実用新案登録請求の範囲】
【請求項１】
太陽光発電パネルソーラーユニットより供給された電源を設置し、複数個ＬＥＤをユニット基板に取り付けた強化ガラス樹脂系照明装置とお財布携帯装置で組み合わせたバスおよび路面電車停留所。
【考案の詳細な説明】
【技術分野】
【０００１】本実用新案は、多結晶シリコン、薄膜シリコン、フレキシブルソーラーフィルム、色素増感太陽光ソーラーを使って電源を供給するバス、路面電車停留所、待合室の電源装置。【０００２】太陽光ソーラーパネルから供給および蓄電された電源装置と複数個のＬＥＤをユニット基板に取り付けた照明装置。【０００３】太陽光ソーラーパネルとＬＥＤ照明装置に時刻表、地域情報、乗り換え案内、広告宣伝情報をインターネット接続できるお財布携帯システム装置。
【背景技術】
【０００４】現在の交通局広告付きバス停留所上屋の照明は蛍光灯と電球で設けられていることは公知である。しかし、省エネ、環境に優しい照明装置ではない。蛍光灯より長寿命で交換維持管理費用を節約できる。安全と安心の明るい町づくり防犯効果として開発したＬＥＤ照明装置である。【０００５】現在の交通局広告付きバス停留所上屋の照明は蛍光灯と電球で設けられている光源の場合には点灯時の消費電力もＬＥＤに比較して大きいのである。特に蛍光灯は水銀を使用してリサイクル時の環境費用にも影響する。
【考案の開示】
【課題を解決するための手段】
【０００６】本新案、ＬＥＤは電球や蛍光灯管を光源とする場合に比べて消費電力が少ないうえ、電球や蛍光灯管に比べて長寿命化でメンテナンスの手間を省けるメンテナンスフリーである。
ＬＥＤは低消費電力のため、太陽光ソーラーパネルにより昼間の電源を蓄え、夜間に照明として供給する停留所である。地震災害などによる電気供給不全にも対応できる。
【考案の効果】
【０００７】お財布携帯システム装置が動作するように設計されており、時刻表のダウンロードや地域密着した即時情報、企業宣伝や告知媒体として利用できる。公衆無線ＬＡＮでネット接続できるようにしたネットサービスも提供する。
【考案を実施するための最良の形態】
【実施例１】
【０００８】図１本体は本実用新案に係る企業宣伝や広告媒体を表示するための照明装置の実施例を示す。図１は、主にバス停留所や待合い施設に設置する照明装置である。
【実施例２】ＬＥＤユニット基板図２を点灯あるいは点滅、動画を制御する制御回路スイッチ３に照明信号を与える電源を有する照明装置。
【実施例３】制御回路スイッチ３が点灯するＬＥＤ５の照度を複数段階に色変化、変更調整できる照明装置。
【実施例４】ＬＥＤユニット基板図２は上下左右の各表面に対して照明ボード本体図１に面状発光する照明装置。
【実施例５】照明ボード本体図１の面状板２は強化ガラス、アクリル樹脂板、ポリカ樹脂板、ガラス板などからなる透明面状発光する照明装置。
【実施例６】照明ボード本体図１の面状板２は強化ガラス、アクリル樹脂板、ポリカ樹脂板、ガラス板などからなり２枚合わせた間に印刷表示でき面状発光する照明装置。
【実施例７】面状板２の強化ガラス、アクリル樹脂板、ポリカ樹脂板、ガラス板などからなる表面また面状板２にはさまれた面状板２に文字、絵、写真を印刷やシールを貼り付ける照明装置。
【実施例８】照明ボード本体の光源に太陽光パネル発電ユニットによる電源供給ができる照明装置。
【実施例９】照明ボードや時刻表パネルにお財布携帯読み取り装置を設置する。
【実施例１０】電源部には二次電池として充電、放電寿命がすぐれたコンデンサーおよび電気二重層キャパシタ（ＥＤＬＣ）蓄電部品からなる装置。
【産業上の利用可能性】
【０００９】本発明のにおいて、本体照明ボードフレーム部１の設計材料を鋼材柱、屋根はアルミ枠などにし軽量で丈夫な材料にする。面状発光部２は強化樹脂ガラスを使用し発光効率を考慮した。上屋には、ベンチ、時刻表、停留所名称を表記しお財布携帯で８カ国の言語対応ができる。電球や蛍光灯では、熱伝導性が悪く消費電力も高く電球交換などメンテナンスにも手間取るが、ＬＥＤ照明装置と組み合わせることで小型化、省エネ化、保守費用軽減も改善した。
【図面の簡単な説明】
【００１０】
【図１】停留所照明ボードの広告物掲載本体図
【図２】停留所設置例１
【図３】停留所設置例２
【図４】太陽光発電装置取り付け時
【符号の説明】
【００１１】１  照明ボードフレーム部（鋼材、アルミなど）
２  透明ボード（強化ガラス、アクリル樹脂などで広告）
３  制御回路スイッチ・センサー部
４  電源部（コンデンサー）
５  ＬＥＤ照明
６  太陽光ソーラーパネル
７  お財布携帯装置
【図１】
0003150409.tif 000003
【図２】
0003150409.tif 000004
【図３】
0003150409.tif 000005
【図４】
0003150409.tif 000006
【手続補正書】
【提出日】平成21年2月6日(2009.2.6)
【手続補正１】
【補正対象書類名】実用新案登録請求の範囲
【補正対象項目名】全文
【補正方法】変更
【補正の内容】
【実用新案登録請求の範囲】
【請求項１】
太陽光発電パネルソーラーユニットより供給された電源を設置し、複数個のＬＥＤをユニット基板に取り付けた強化ガラス樹脂系照明装置と利用者の持つ携帯端末装置を利用して検索、決裁することが可能なリーダー・ライターとを組み合わせたバスおよび路面電車停留所。
(57)【要約】      （修正有）【課題】背中など手が届かない部位への貼付薬の貼付を容易にする貼付薬貼り器を提供する。【解決手段】貼付薬貼り器１は、回転軸２、回転筒３、スポンジ層４、重し５、ピン６、アーム７、グリップ８により構成する。回転筒３の表面には弾力性のあるスポンジ層４が貼られている。回転筒３は滑らかに回転するように回転軸２に差し込まれ、ピン６で回転軸２から抜けないように留められている。また、回転筒３の周辺側には貼付薬より充分に重い重し５が組み込まれている。この重し５のため回転筒の重心は偏心し、回転軸２が水平に近い状態では、常にスポンジ層４の同じ部分が上側となる。以下の説明では、このとき上側になるスポンジ層４の部分をスポンジ層天部と呼ぶ。一方、回転軸２はアーム７とつながり、さらに、アーム７の根元にはグリップ８がついている。グリップ８を握ることで貼付薬貼り器１を操作する。【選択図】図１
0003150448.tif 000002
【実用新案登録請求の範囲】
【請求項１】
側面が弾力性のある材質の層で覆われ、かつ、中心軸を外れた位置に重しが組み込まれた回転筒を回転軸に差し込んだ構造を持つことを特徴とする貼付薬貼り器。
【考案の詳細な説明】
【技術分野】
【０００１】  本考案は貼付薬を貼るための器具に関するものである。
【背景技術】
【０００２】  貼付薬は、通常、薬面を覆うカバーを剥がし粘着性がある薬面を上にして掌で支え、落さないように貼るべき部位まで運び、薬面を肌にあて、掌で押さえて貼付する。あるいは、肌にあてた状態でカバーを外すことが必要である。従って、一人で貼付薬を貼れる体の部位は制限され、背中などには貼ることが困難であった。
【考案の開示】
【考案が解決しようとする課題】
【０００３】  本考案は背中など手が届かない部位に１人で貼付薬を貼る手段を提供する。
【課題を解決するための手段】
【０００４】  以下、図を用いて構成と動作を詳細に説明する。
図１は本考案の貼付薬貼り器１の外観図であり、２は回転軸、３は回転筒、４はスポンジ層、５は重し、６はピン、７はアーム、８はグリップである。回転筒３の表面には弾力性のあるスポンジ層４が貼られている。回転筒３は滑らかに回転するように回転軸２に差し込まれ、ピン６で回転軸２から抜けないように留められている。また、回転筒３の周辺側には貼付薬より充分に重い重し５が組み込まれている。この重し５のため回転筒の重心は偏心し、回転軸２が水平に近い状態では、常にスポンジ層４の同じ部分が上側となる。以下の説明では、このとき上側になるスポンジ層４の部分をスポンジ層天部と呼ぶ。一方、回転軸２はアーム７とつながり、さらに、アーム７の根元にはグリップ８がついている。グリップ８を握ることで貼付薬貼り器１を操作する。
図２は貼付薬貼り器１の使用状態を示す図であり、９は貼付薬、１０は肌、１１は説明のためにつけた矢印である。貼付薬９は予め作業がしやすい位置で薬面を覆うカバーを外し、薬面を上側にして、スポンジ層天部に載せておく。その後、グリップ８を握り、回転軸２を水平に近い状態を保ったまま、すなわち、貼付薬９をスポンジ層天部に載せたまま貼付薬貼り器１を動かす。背中など貼りたい部分の肌１０にスポンジ層４を押し付けたまま下から上に引き上げる。回転筒３は矢印１１の方向に回転し、貼付薬９は肌１０へ貼り付けられる。スポンジ層４の変形により肌１０の凹凸部にも貼付できる。
【考案の効果】
【０００５】  回転筒中の重しにより本貼付薬貼り器を動かしても、貼付薬を常に下から保持でき、かつ、肌に薬面を接触させた後は、回転筒の回転により滑らかに圧着することができる。背中など、手が届かない体の部位に貼付薬を貼付することが可能となる。
【考案を実施するための最良の形態】
【０００６】  プラスチック、スポンジ、金属などの既存の材料で、既存の加工技術で本考案を容易に実施することができる。スポンジ層はゴムなど、弾力性があり表面が滑りにくい材料で代用することも可能である。
【図面の簡単な説明】
【０００７】
【図１】  貼付薬貼り器の外観図
【図２】  貼付薬貼り器の使用状態を示す図
【符号の説明】
【０００８】  １は貼付薬貼り器、２は回転軸、３は回転筒、４はスポンジ層、５は重し、６はピン、７はアーム、８はグリップ、９は貼付薬、１０は肌、１１は説明用矢印である。
【図１】
0003150448.tif 000003
【図２】
0003150448.tif 000004
(57)【要約】【課題】  取りこぼしなく貝を採取できる潮干狩り用熊手を提供する。【解決手段】  持ち手部２の下端に先端の尖った複数本の爪棒４が広がり状に取り付けられて構成される潮干狩り用熊手において、爪棒４それぞれに沿うように網状体６が取り付けられてなるもの。【選択図】図１
0003150445.tif 000002
【実用新案登録請求の範囲】
【請求項１】
持ち手部の下端に先端の尖った複数本の爪棒が広がり状に取り付けられて構成される潮干狩り用熊手において、
前記爪棒それぞれに沿うように網状体が取り付けられてなることを特徴とする潮干狩り用熊手。
【請求項２】
前記網状体が、前記爪棒の先端側を残すように取り付けられてなる請求項１記載の潮干狩り用熊手。
【考案の詳細な説明】
【技術分野】
【０００１】  この考案は、潮干狩り用熊手の改良に関する。
【背景技術】
【０００２】  潮干狩りを行う際には、持ち手部の下端に先端の尖った複数本の爪棒が広がり状に取り付けられて構成される潮干狩り用熊手を使用する。その潮干狩り用熊手の爪棒により浜辺等の土砂を掘り起こしかき出すことで貝を採取する。
【考案の開示】
【考案が解決しようとする課題】
【０００３】  しかしながら、従来の潮干狩り用熊手では、かき出される貝が爪棒にうまくひっかからずその間を通過して取りこぼすことが多かった。爪棒の本数を増やしその間隔を小さくするとその問題は解消されるが、小石等が多数ひっかかり、また採取対象ならない小さな貝まで取ってしまうこととなる。また、爪棒の本数が多くなると掘り起こしやかき出しに際しての土砂の抵抗が大きくなり、スムーズな作業が行えなくなる。【０００４】  この考案では、取りこぼしなく貝を採取できる潮干狩り用熊手を提供することを目的とする。
【課題を解決するための手段】
【０００５】  この考案では、持ち手部の下端に先端の尖った複数本の爪棒が広がり状に取り付けられて構成される潮干狩り用熊手において、前記爪棒それぞれに沿うように網状体が取り付けられてなる構成とする。【０００６】  この考案の構成の潮干狩り用熊手によれば、爪棒それぞれに対し縦方向や斜め方向において相対して爪棒間をすり抜ける貝が、網状体にひっかかることでかき出される。それぞれの爪棒の先端側を残すように網状体を配置することで、網状体が邪魔となることがなく爪棒それぞれの先端を土砂に食い込ませることができる。爪棒が網状体により補強され、大きな岩等に引っかかった場合にも変形することが防がれる。【０００７】  爪棒が鉄製である場合には鉄製の網状体が溶接等により取り付けられ、子供用等の潮干狩り用熊手であって爪棒がプラスチックスによって構成される場合は、網状体も爪棒に連続一体に形成される。
【考案の効果】
【０００８】  この考案によれば、貝の取りこぼしの少なく、強固な構成の実用的な潮干狩り用熊手が得られる。
【考案を実施するための形態】
【０００９】  図１はこの考案の潮干狩り用熊手の外観正面図、図２は同外観側面図、図３は同外観斜視図である。
【００１０】  潮干狩り用熊手１は、円柱状木製の持ち手部２の下端に鉄製の爪棒体３の基部が固定されて構成されている。爪棒体３は先端の尖った５本の爪棒４よりなり、それら爪棒４それぞれの前面に網状体６が固設されている。爪棒４のそれぞれはそれらの基部が溶接により一体に固定されるとともに、それぞれが互いに所定の間隔を保ち広がるように配置されている。その広がり状態に配置されるそれぞれの爪棒４の前面に沿うように、かつ、それぞれの爪棒４の先端側を３ｃｍ程度残すように鉄製の網状体６が溶接により取り付けられている。網状体６を構成する棒材８は爪棒４それぞれに対して傾斜配置され、かつ、それぞれにより複数の菱形を形成して網状形態を呈する。
【００１１】  上記のような潮干狩り用熊手１によれば、貝が網状体６にひっかかることでその取りこぼしが少なくなる。掘り起こし、かき出しに際しては、爪棒４それぞれの先端側が土砂に食い込みさらに網状体６を一体とする爪棒部３が食い込み、その状態で潮干狩り用熊手１が手前側に引かれると土砂とともに貝が掘り起こされ、小さな土砂や貝はその引き動作に伴って爪棒４間、また、網状体６の棒材８間をすり抜け、これにより大きな貝や石のみがかき出される。その際貝Ｋａのように爪棒４に対し横方向となって相対するものは、爪棒４それぞれのみによってもかき出し可能である。これに対し、貝Ｋｂのように縦方向や斜め方向となって爪棒４に相対し従来において爪棒４の間をすり抜け取りこぼされていたものが、網状体６の棒材８に引っかかることにより確実にかき出される。
【００１２】  その掘り起こし、かき出しに際しては、網状体６がそれぞれの爪棒４の先端側を残すように配置されていることで、網状体６が邪魔となることがなく爪棒４それぞれの先端側が土砂内に食い込み、その作業がスムーズになされる。また、爪棒４のそれぞれが網状体６により補強され、大きな岩等に引っかかった場合にも変形することが防がれる。
【図面の簡単な説明】
【００１３】
【図１】  この考案の潮干狩り用熊手の実施形態の外観正面図
【図２】  この考案の潮干狩り用熊手の実施形態の外観側面図
【図３】  この考案の潮干狩り用熊手の実施形態の外観斜視図
【符号の説明】
【００１４】１    潮干狩り用熊手
２    持ち手部
３    爪棒部
４    爪棒
６    網状体
Ｋａ  Ｋｂ    貝
【図１】
0003150445.tif 000003
【図２】
0003150445.tif 000004
【図３】
0003150445.tif 000005
(57)【要約】      （修正有）【課題】煙草包装用箱下部に一体となった灰皿を設けることにより、煙草のポイ捨てを防止することができる灰皿付煙草包装用箱を提供する。【解決手段】煙草包装用箱本体３とスライド式灰皿収納部４を一体化し、スライド式灰皿収納部４の内部にスライド式灰皿部５を内蔵することを特徴とし、喫煙時にはスライド式灰皿部５を側面より引き出すことにより灰皿として利用することができる。また喫煙終了時には、スライド式灰皿部５の底面に敷かれた消火部（ジェル状半液体）６にて火を消すことができるため煙草がくすぶることを防止できる。【選択図】図１
0003150442.tif 000002
【実用新案登録請求の範囲】
【請求項１】
煙草を包装するための箱とスライド式灰皿を収納するための箱が上下に一体となり、当該灰皿収納部分は箱状のスライド式灰皿を側面より引き出す形となっていることを特徴とし、スライド式灰皿内部にジェル状半液体の消火部分を有する灰皿付煙草包装用箱
【考案の詳細な説明】
【技術分野】
【０００１】本考案は、煙草包装用箱下部と箱状のスライド式灰皿の収容部分を一体とし、当該収容部分にスライド式灰皿を設け、吸殻を煙草包装用箱ごと捨てられるようにした煙草包装用箱に関するものである。
【背景技術】
【０００２】背景技術としては、喫煙者には防火上、または環境美化のために煙草の吸殻を路上及び駅のホーム、あるいは河川、湖、海等に投げ捨てないことが求められている。灰皿の設置されていない場所で煙草を吸う場合には、良識ある喫煙者はその吸殻を収納するための携帯用灰皿を煙草包装用箱とは別に持ち歩いているという状況である。
【考案の開示】
【考案が解決しようとする課題】
【０００３】煙草包装用箱と携帯用灰皿を別々に持ち歩いていると携帯用灰皿の所持を忘れてしまった場合、携帯用灰皿を購入する又は灰皿の設置されている場所、喫煙のできる店舗等に入らなければ喫煙ができず、喫煙者にとっては不便である。従って煙草包装用箱と灰皿を一体化することにより前述の欠点を解決しようとするものである。
【課題を解決するための手段】
【０００４】本考案は、煙草包装用箱下部に側面より引き出し可能な灰皿部を収納する灰皿収納部を設け、喫煙時には当該灰皿部を引き出し喫煙終了時には当該灰皿部を灰皿収納部に収納することにより課題を解決している。
【考案の効果】
【０００５】上述のように、本考案の灰皿付煙草包装用箱は、煙草包装用箱として機能することは勿論、煙草包装用箱の下部に一体となったスライド式灰皿の収容部分とスライド式灰皿を設けたことにより、今まで煙草包装用箱と携帯用灰皿を利用していた喫煙者は、煙草包装用箱と一体となったスライド式灰皿を引き出すだけで喫煙することができ、またジェル状半液体を底面に敷き詰めた当該灰皿に吸殻を収納できることで煙草のくすぶり及びポイ捨ても防止できる。
【考案を実施するための形態】
【０００６】  以下、本考案を実施するための形態を添付図面について説明する。
図２及び図３に示すように、非喫煙時には、煙草８及びスライド式灰皿部５を煙草包装用箱本体３及びスライド式灰皿収納部４に収納し、喫煙時には、図１に示すように上部の煙草包装用箱用蓋１を開けることで煙草８を取り出せるとともに、下部のスライド式灰皿部５をスライド式灰皿収納部４の側面より手前に引き出すことで、灰皿として利用可能となる。
【図面の簡単な説明】
【０００７】
【図１】本考案の灰皿付煙草包装用箱全体を示す概略斜視図である。
【図２】本考案の灰皿付煙草包装用箱の蓋を閉じた状態を示す概略正面図である。
【図３】本考案の灰皿付煙草包装用箱の蓋を閉じた状態を示す概略斜視図である。
【符号の説明】
【０００８】１  煙草包装用箱用蓋
２  煙草収納部
３  煙草包装用箱本体
４  スライド式灰皿収納部
５  スライド式灰皿部
６  消火部（ジェル状半液体）
７  吸殻収納部
８  煙草
【図１】
0003150442.tif 000003
【図２】
0003150442.tif 000004
【図３】
0003150442.tif 000005
(57)【要約】      （修正有）【課題】大きな面積で皮膚に接し、大きなマッサージ効果をあげることができる美顔、美肌用具を提供する。【解決手段】保持柄の先端に回転自在な複数のローラーを配置し、この複数のローラーを囲むように帯状のマッサージ用部品を環状にして取りつけて、無限軌道形状にしたことを特徴とする美顔、美肌用具である。【選択図】図６
0003150443.tif 000002
【実用新案登録請求の範囲】
【請求項１】
保持柄の先端に回転自在な複数のローラーを配置し、この複数のローラーを囲むように帯状のマッサージ用部品を環状にして取りつけて、無限軌道形状にしたことを特徴とする美顔、美肌用具。
【考案の詳細な説明】
【技術分野】
【０００１】本考案は顔および他の体の皮膚を押圧回転し、マッサージを行う美顔、美肌用具に関する。
【背景技術】
【０００２】従来のローラー式マッサージ用具は、軸に円筒型のローラーをはめこんで皮膚にあて、ローラーを回転させることによりマッサージを行っている。
【考案の開示】
【考案が解決しようとする課題】
【０００３】従来のローラー式マッサージ用具は、軸に円筒型のローラーをはめこんで皮膚にあて、ローラーを回転させることにより、マッサージを行っているが、円筒型であるため、皮膚に接する部位が少なく、皮膚に対するマッサージ効果が少ない。
【課題を解決するための手段】
【０００４】複数の回転するローラーの左側面図が（図１）で、平面図が（図２）であり、これに帯状部品左側面図（図３）、平面図（図４）をとりつけて、本考案左側面図（図５）、平面図（図６）を提供する。
【考案の効果】
【０００５】本考案は左側面図（図５）、平面図（図６）であらわされるが、この帯状部品がローラーに比べて、大きな面積で皮膚に接し、大きなマッサージ効果を提供する。
【実施例】
【０００６】（図７）（図８）で帯状部品が円筒に面で接していることがわかる。人体の場合でもこのように帯状部品が面で接し、大きなマッサージ効果をあげる。
【産業上の利用可能性】
【０００７】従来のローラーのマッサージ用具より、接する部品が多いため、より早く、より効果的にマッサージを行い、決行をよくし、健康を増進する。
【図面の簡単な説明】
【０００８】
【図１】本考案の一部の複数のローラー部の左側面図
【図２】本考案の一部の複数のローラー部の平面図
【図３】本考案の一部の帯状部品の左側面図
【図４】本考案の一部の帯状部品の平面図
【図５】本考案の左側面図
【図６】本考案の平面図
【図７】本考案の使用例
【図８】本考案の使用例
【図１】
0003150443.tif 000003
【図２】
0003150443.tif 000004
【図３】
0003150443.tif 000005
【図４】
0003150443.tif 000006
【図５】
0003150443.tif 000007
【図６】
0003150443.tif 000008
【図７】
0003150443.tif 000009
【図８】
0003150443.tif 000010
(57)【要約】      （修正有）【課題】長針と短針が有って秒針の無い時計の場合にも、時計上に反時計回りにまわる物を見ることができる時計を提供する。【解決手段】時計の中央に一定の速度で、ゆっくりゆっくりと反時計回りにまわるメモリの付いた物を備えた事を特徴とする時計である。メモリにより反時計回りを見やすくし、物の大きさは時刻を見るのをじゃましない程度が望ましい。【選択図】図１
0003150429.tif 000002
【実用新案登録請求の範囲】
【請求項１】
時計の中央に有って、反時計回りにまわる、メモリの付いた物を備えた時計。
【考案の詳細な説明】
【技術分野】
【０００１】  本考案は、時計の中央に、反時計回りにまわる物を備えた時計に関する。
【背景技術】
【０００２】  従来の時計では、長針と短針と秒針が有って、秒針だけが反時計回りにまわる。
【考案の開示】
【考案が解決しようとする課題】
【０００３】  長針と短針と秒針が有って、秒針だけが反時計回りにまわる時計は有るが、長針と短針だけの時計の場合、時計上に反時計回りを通常見る事が出来ない。
【課題を解決するための手段】
【０００４】  そこで、時計の中央に一定の速度で、ゆっくりゆっくりと反時計回りにまわる物を備えた。この物により、通常の、長針と短針が有って秒針の無い時計の場合も時計上に反時計回りを見る事が出来る。
【考案の効果】
【０００５】  よって、本考案の時計の中央に反時計回りにまわる物を備える事で、長針と短針が有って秒針の無い時計の場合でも、時計上に反時計回りを見る事が出来る。
【考案を実施するための最良の形態】
【０００６】  本考案に係る時計１０は、図１に示すように、中央に反時計回りに一定の速度でゆっくりゆっくりとまわる物１を備えている。時計１０の中央に有る反時計回りにまわる物１の表面に、反時計回りを見やすくするメモリ２が付いている。物１の大きさは、時刻を見るのをじゃましない程度が望ましい。
【図面の簡単な説明】
【０００７】
【図１】  本考案に関する時計である。
【図２】  本考案に関する時計の簡単な断面図である。
【符号の説明】
【０００８】  １    反時計回りにまわる物
２    反時計回りにまわる物のメモリ
３    長針
４    短針
１０    時計
【図１】
0003150429.tif 000003
【図２】
0003150429.tif 000004
(57)【要約】      （修正有）【課題】首部と共に顔部の防寒も可能な、ネックウォーマ付マフラーを提供する。【解決手段】マフラー１の中央部をフリース布地で製作したネックウォーマー２と結合させ、ネックウォーマー部を被り、マフラーを顔に固定し、顔と首の両方をしっかりと防寒できるようにする。さらにネックウォーマー部には、サイズ調整のためコードストッパ３を付設する。【選択図】図１
0003150422.tif 000002
【実用新案登録請求の範囲】
【請求項１】
マフラーとネックウォーマーを結合させたことを特徴とする実用的防寒具。
【請求項２】
マフラーの長手方向中央部にネックウォーマーを取り付けたことを特徴とする請求項１記載の防寒具。
【考案の詳細な説明】
【技術分野】
【０００１】    本考案は、マフラーにネックウォーマーを縫い付けた防寒具である。
【背景技術】
【０００２】    冬にマフラーの防寒具だけでは寒く感じて、マフラーを鼻にひっかけたり、顔にしっかりと巻き付けて使用している人が多かったため。顔にマフラーを固定する必要性がある。特に、バイク、自転車に乗る人にこれが多く見うけられる。
【考案の開示】
【考案が解決しようとする課題】
【０００３】  マフラーのみでは顔の防寒が全くないために、顔が寒風によって痛みを感じたり、鼻水が生じ、寒さを感じやすい耳などはちぎれそうに感じることがある。
【課題を解決するための手段】
【０００４】  本考案は、マフラーにネックウォーマーを縫いつけ、マフラーを顔に固定する事により前述の課題を解決しようとするものである。
【考案の効果】
【０００５】  ネックウォーマー付きマフラーを付けることで、冬に顔の寒さや鼻水の発生を防止できる。ネックウォーマー部は、フリース布地を使用するため保温性に優れているため暖かい。
また、普通にマフラーとしても使用できる。その場合、ネックウォーマー部を首まで被るので従来のマフラーのように落ちる事はありえない、更にフリース部があるため一般的なマフラーよりも暖かい。
ネックウォーマー部をヘアーバンドのようにして使用すると、マフラー＋帽子としても使用する事ができるためファッション性にも優れている。ネックウォーマーとマフラーが結合されているので紛失しにくい。
【考案を実施するための最良の形態】
【０００６】  マフラーの中央部にネックウォーマーを縫い付けることにより、ネックウォーマー付きマフラーを装着しても違和感なく普通のマフラーをしている場合と同様である。ネックウォーマー部には、サイズ調整器具（コードストッパー）を付けているためサイズ調整しやすい。
【図面の簡単な説明】
【０００７】
【図１】本考案のネックウォーマー付きマフラーのネックウォーマー部を立てて置いた時の図である。
【図２】本考案のネックウォーマー付きマフラーを平らな場所に置いた正面図である。
【符号の説明】
【０００８】  １  マフラー
２  ネックウォーマー部分
３  コードストッパー
４  ネックウォーマーのヒモ
【図１】
0003150422.tif 000003
【図２】
0003150422.tif 000004
(57)【要約】【課題】本案の目的は、水が落下する通水管の通水確認において低費用で通水確認装置の見えない場所からも継続的に通水状態を確認することができる通水確認装置を提供する事にある。【解決手段】上下にそれぞれ開口部ｅおよびｆを持ち、内部を視認できる筒状物ａに羽根車ｃおよび鈴ｂを取り付けられた保持棒ｄが前記筒状物ａの内部を横断して取り付けられた通水確認装置もしくは、上下に開口部ｅおよびｆを持ち、内部を視認できる筒状物ａに鈴ｂが取り付けられた羽根車ｃを取り付けた保持棒ｄが前記筒状物ａの内部を横断して取り付けられた通水確認装置【選択図】図２
0003150324.tif 000002
【実用新案登録請求の範囲】
【請求項１】
上下にそれぞれ開口部を持ち、内部を視認できる筒状物に羽根車および鈴を取り付けられた保持棒が前記筒状物の内部を横断して取り付けられた通水確認装置。
【請求項２】
上下にそれぞれ開口部を持ち、内部を視認できる筒状物に鈴が取り付けられた羽根車を取り付けた保持棒が前記筒状物の内部を横断して取り付けられた通水確認装置。
【考案の詳細な説明】
【技術分野】
【０００１】
本案は、通水の有無を視覚と同時に音により確認する通水確認装置に係わるものである。
【背景技術】
【０００２】
従来の通水確認装置としては、通水路に透明管を設け、その中に取りつけられた羽根車が通水時の水圧により回ることによって、視覚的に通水状態を確認する方法が提案されている。（特許文献１）
【０００３】
しかし、この方法は、通水状態を目視のみにて行う為にその装置を備えた場所まで移動して視認する必要があり、又、その通水の有無は、目視した時点でしか確認できないために、継続して通水が行われている事を確認するには絶えずその通水確認装置の見える場所に人が行く必要があった。
【０００４】
又、通水確認装置として通水路に透明管を設け、羽根車を設置するためには費用がかかり、かつ、分解・掃除等のメンテナンスをする際には管をはずして行わなければならない等、手間も非常に大きいものであった。
【０００５】
【特許文献１】実公昭６３−１７５５２号公告
【考案の開示】
【考案が解決しようとする課題】
【０００６】
この考案が解決しようとする課題は、水が落下する通水管の通水確認において低費用で通水確認装置の見えない場所からも継続的に通水状態を確認することができる通水確認装置を提供する事にある。
【課題を解決するための手段】
【０００７】
本考案に係る通水確認装置は、上下にそれぞれ上部開口部ｅおよび下部開口部ｆを持ち、内部を視認できる筒状物ａに羽根車ｃおよび鈴ｂを取り付けられた保持棒ｄが前記筒状物ａの内部を横断して取り付けられた通水確認装置もしくは、上下にそれぞれ上部開口部ｅおよび下部開口部ｆを持ち、内部を視認できる筒状物ａに鈴ｂが取り付けられた羽根車ｃを取り付けた保持棒ｄが前記筒状物ａの内部を横断して取り付けられた通水確認装置である。
【０００８】
本考案における上下にそれぞれ上部開口部ｅおよび下部開口部ｆを持ち、内部を視認できる筒状物ａは、内部を視認でき、通水に耐え得るものであれは、その材質は特に制限されず、例えば、各種プラスチックやガラス等の材質のものを用いることができる。
【０００９】
本考案における鈴ｂおよび羽根車ｃについては、通水に耐え得るものであればよく、その材質は特に制限されず、例えば、各種プラスチックやガラス等の材質のものを用いることができる。
【００１０】
本考案における支持棒ｄについては、鈴ｂおよび羽根車ｃを支持するものであればよく、その材質は特に制限されず、例えば、木やプラスチック等の素材が用いることができる。
【００１１】
本考案における筒状物ａの上部開口部ｅは、例えば、通水管ｇなどから落下する水が羽根車ｃに当たるために必要な部分が開いていればその大きさや形は特に制限されない。
【００１２】
本考案における筒状物ａの下部開口部ｆは、例えば、通水管ｇなどから落下する水が羽根車ｃに当たったあと、筒状物ａの中に溜まった水が羽根車ｃの回転を妨げない量となるようにできるのであれば、その大きさや形は特に制限されず、筒状物ａの下部開口部ｆにさらに排水管ｈをつけても良い。
【考案の効果】
【００１３】
本考案の通水確認装置により、低費用でかつ、通水確認装置の見える場所はもとより、通水確認装置の見えない場所からも継続的に通水状態を確認することができる。
【考案を実施するための最良の形態】
【００１４】
本考案の通水確認装置は、内部を視認できる筒状物ａの内部を横断して取り付けられた、羽根車ｃに筒状物ａの上部開口部ｅを通して通水管ｇ等から落下する水が当たるように設置され、落下する水が羽根車ｃに当たることにより、羽根車ｃが回転し、さらに羽根車ｃの回転に伴って鈴ｂが鳴る。
【図面の簡単な説明】
【００１５】
【図１】本考案の通水確認装置の具体的一実施例の正面図である。
【図２】本考案の通水確認装置の具体的一実施例の側面図である。
【図３】本考案の通水確認装置の具体的一実施例の上面図である。
【実施例】
【００１６】
以下、添付図に従って、一実施例を説明する。  本考案に係る通水確認装置は、例えば、図２に示すとおり鈴ｂと羽根車ｃは支持棒ｄに取り付けられる。そして鈴ｂおよび羽根車ｃを取り付けた支持棒ｄは、筒状物ａの内部を横断して取り付けられる。通水管ｇの出口から落下する水が筒状物ａの上部開口部ｅから筒状物ａの内部に入り、羽根車ｃにあたることにより羽根車ｃを回転させ、さらに羽根車ｃの回転に伴って鈴ｂが鳴る。筒状物ａの内部に入った水は、筒状物ａの下部開口部ｆに設けられた排水管ｈから排出される。
通水が無い場合は、内部を視認できる筒状物ａが風等により、羽根車が動き、鈴が鳴ることを防止する。
【符号の説明】
【００１７】
ａ：筒状物
ｂ：鈴
ｃ：羽根車
ｄ：支持棒
ｅ：上部開口部
ｆ：下部開口部
ｇ：通水管
ｈ：排水管
【図１】
0003150324.tif 000003
【図２】
0003150324.tif 000004
【図３】
0003150324.tif 000005
(57)【要約】      （修正有）【課題】安価でかつ信頼性の高いトライクを提供するため、２本のワイヤー間の高低差の問題を解決すると同時に耐久性を向上させた、ワイヤー連結システムを提供する。【解決手段】操作されるワイヤーケーブルと、一方に前記ワイヤーケーブルが連結され他方側にもう一つのワイヤーケーブルが連結された円形のリンクと、ワイヤーを引っ張る力を伝えるもう一つのワイヤーケーブルから構成され、弧を描いた長穴スライド溝を設けた円形のリンクを備えたワイヤー連結システムである。【選択図】図１
0003150397.tif 000002
【実用新案登録請求の範囲】
【請求項１】
二つのワイヤーと、これらを連結する円形のリンクとで構成され、高低差のある二つのワイヤーであってもスムーズに張力を伝えることを特徴とするトライクのワイヤー連結システム
【考案の詳細な説明】
【考案の詳細な説明】
【技術分野】
【０００１】  本考案は、車体と、この車体に取り付けられたハンドルにより操舵される一つの前輪と、前記車体に搭載されたエンジンにより駆動される左右一対の後輪を備えたトライクのブレーキなどのワイヤー連結システムに関する。
【背景技術】
【０００２】  ワイヤーを連結する際に高低差が生じた場合、これを解決するために棒状や板状のリンクを介して連結していた。
【考案の開示】
【考案が解決しようとする課題】
【０００３】  この考案は、安価でかつ信頼性の高いトライクを提供するため、ワイヤー間の高低差の問題を解決すると同時に二本のワイヤーを連結するリンクの耐久性を向上させることを課題とするものである。
【課題を解決するための手段】
【０００４】  課題を解決するために講じた本考案の手段は、二本のワイヤーを弧を描いた長穴ガイド溝と支点となる箇所に丸穴を設けた円形のリンクに連接し、長穴と丸穴にボルトを通し車体に嵌合する構成とする。
【考案の効果】
【０００５】  棒状、板状のリンクでなく、円形のリンクを利用することにより、ワイヤーの取り回し及び連結方法の自由度が増すとともに、連結部分の耐久性を向上させることができる。
【実施例】
【０００６】  次にこの考案の添付図面により、説明する。図１、図２はトライクのワイヤー連結システムの構成図である。【０００７】  円形のリンク（Ｚ１）を、中心点を通る直線状に丸穴（Ｚ２）を設け、ここをボルトで車体に固定する。その丸穴（Ｚ２）を中心点としてここから同じ距離のところに弧を描いた長穴ガイド（Ｚ３）を設ける。長穴ガイド（Ｚ３）にボルトを刺して車体と結合させる。このとき丸穴（Ｚ１）を支点として円形のリンク（Ｚ１）はスムーズに動くように固定する。円形リンクの外周近くの箇所（Ｚ４及びＺ５）にワイヤーのタイコを固定する穴を設けてワイヤーを二本固定する。Ｚ４に接合されたワイヤーを引くことにより、Ｚ５側に接合されたワイヤーを押し出す。
【図面の簡単な説明】
【０００８】
【図１】ワイヤー連結システムの構成図
【図２】Ｚ４のワイヤーを引いた際のワイヤー連結システムの動き解説
【図１】
0003150397.tif 000003
【図２】
0003150397.tif 000004
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
操作されるワイヤーケーブルと一方に前記ワイヤーケーブルが連結され他方側にもう一つのワイヤーケーブルが連結された円形のリンクと、ワイヤーを引っ張る力を伝えるもう一つのワイヤーケーブルから構成され、弧を描いた長穴スライド溝を設けた円形のリンクを備えたワイヤー連結システム
(57)【要約】      （修正有）【課題】荷物の量に応じてバッグ・小さな袋・大きな袋と安全かつ便利に対応できる万能型バッグを提供する。【解決手段】第一バッグ１と第二バッグ２とよりなり、前記第一バッグ１は後壁に第二バッグ２を収納する第一内袋３、前壁に第一内袋３に収納した第二バッグ２と共に第一バッグ１を収納する第二内袋４をそれぞれ有し、前記第一内袋３の底部は第二バッグ２の後壁に取り付けられており、前記第一バッグ１と第二バッグ２はその開口部上縁にそれぞれ手提げ紐５、５と手提げ紐１１、１１を有していることを特徴とする万能型バッグ。【選択図】図１
0003150395.tif 000002
【実用新案登録請求の範囲】
【請求項１】
第一バッグ１と第二バッグ２とよりなり、前記第一バッグ１は後壁に第二バッグ２を収納する第一内袋３、前壁に第一内袋３に収納した第二バッグ２と共に第一バッグ１を収納する第二内袋４をそれぞれ有し、前記第一内袋３の底部は第二バッグ２の後壁に取り付けられており、前記第一バッグ１と第二バッグ２はその開口部上縁にそれぞれ手提げ紐５、５と手提げ紐１１、１１を有していることを特徴とする万能型バッグ。
【請求項２】
前記第一バッグ１は、背負い紐６、６を有しており、両紐６、６は上端部を第一バッグ１の後壁上端部に固定し、同後壁の収納口７から取り出して、下端部を後壁の下端部に留め金８、８で着脱可能に取り付ける構成となっており、第二バッグ２は、その後壁の上端部に第一バッグ１の背負い紐６、６を通す収納口１２と、収納口１２から引き出した背負い紐６、６の下端部を着脱可能に取り付ける留め金１３、１３を有していることを特徴とする請求項１記載の万能型バッグ。
【考案の詳細な説明】
【技術分野】
【０００１】  本考案は、少ない荷物には小さな袋、多くなった荷物には大きな袋で対応できる、安全性・便利性・機能性に優れたバッグに関するものである。
【背景技術】
【０００２】  従来のものは、少量の荷物には小さなバッグ、多量の荷物には大きなバッグとそれぞれにあわせて使用し、状況によっては少量であるにも関わらず大きなバッグに入れたり、逆に持っていたバッグが小さいために多量の荷物を入れることができず、複数のバッグを持たなくてはならないという問題がある。
【考案の開示】
【考案が解決しようとする課題】
【０００３】  外出時は少ない荷物であっても、出先で荷物が増えたために対応できなくて困ることがある。
【課題が解決するための手段】
【０００４】  本考案の万能型バッグは上記課題を解決するために考案されたもので、次の（１）及び（２）に記載のものである。
（１）本考案の万能型バッグは、第一バッグ１と第二バッグ２とよりなり、前記第一バッグ１は後壁に第二バッグ２を収納する第一内袋３、前壁に第一内袋３に収納した第二バッグ２と共に第一バッグ１を収納する第二内袋４をそれぞれ有し、前記第一内袋３の底部は第二バッグ２の後壁に取り付けられており、前記第一バッグ１と第二バッグ２はその開口部上縁にそれぞれ手提げ紐５、５と手提げ紐１１、１１を有していることを特徴とするものである。
（２）本考案の万能型バッグにおける前記第一バッグ１は、背負い紐６、６を有しており、両紐６、６は、上端部を第一バッグ１の後壁上端部に固定し、同後壁の収納口７から取り出して、下端部を後壁の下端部に留め金８、８で着脱可能に取り付ける構成となっており、第二バッグ２は、その後壁の上端部に第一バッグ１の背負い紐６、６を通す収納口１２と、収納口１２から引き出した背負い紐６、６の下端部を着脱可能に取り付ける留め金１３、１３を有していることを特徴とするものである。
【考案の効果】
【０００５】  本考案の万能型バッグによれば少ない荷物から多くなった荷物まで一つのバッグで対応できる。
【考案を実施するための最良の形態】
【０００６】  薄地で丈夫なナイロン又はポリエステル等で作り、内袋を上手に利用することにより便利に使うことができる。バッグ１の背負い紐６、６を取り付けるために当て布は硬いレザー等で縫い止めし、収納口７と収納口１２の留めや第一バッグ１の収納口止め１４第二バッグ補助テープ１５の留めはボタン等が好ましい。背負い紐の収納口は背負い紐６、６が入るだけの大きさが好ましく、手提げ紐１１、１１や背負い紐６、６を利用することによって使い道を変えることができる万能型バッグである。
以上、添付図面に従って実施例を説明する。
【実施例】
【０００７】  第一バッグ１は、背負い紐６、６、第一内袋３は内側に収納して手提げ紐５、５で丸かん９に紐１０を通して使用し、第二内袋４は小物入れ兼第一バッグ１を折りたたんで収納する時に使用するものであり、その際は第一バッグ収納口止め１４をしておく。第一バッグ１をリュックサックに取り替えたい時は、第一バッグ１の収納口７から背負い紐６、６を取り出し、第一バッグ１の留め金８、８に留めて使用し、その際に手提げ紐５、５はリュックサックの中へ収納される。第二バッグ２を使用する時は、第一内袋３より取り出して表側に返すことにより、第一バッグ１が第二バッグ２の中へ収納され、第二バッグ２は手提げ紐１１、１１で使用し、それをリュックサックとして使用する時は、第一バッグ１の背負い紐６、６を第二バッグ２の収納口１２より引き出して、第二バッグ補助テープ１５で背負い紐６、６を押さえ、第二バッグ２の留め金１３、１３に留めて使用、第二バッグ２の手提げ紐１１、１１はリュックサックの中へ収納して使用する。
【図面の簡単な説明】
【図１】  実施例の万能型バッグの斜視図
【図２】  実施例の万能型バッグを使用する場合の同バッグの展開プロセスを示した図
【符号の説明】
１  第一バッグ
２  第二バッグ
３  第一内袋
４  第二内袋
５  第一バッグの手提げ紐
６  背負い紐
７  第一バッグの収納口
８  第一バッグ留め金
９  丸かん
１０  紐
１１  第二バッグ手提げ紐
１２  第二バッグの収納口
１３  第二バッグの留め金
１４  第一バッグの収納口止め
１５  第二バッグ補助テープ
【図１】
0003150395.tif 000003
【図２】
0003150395.tif 000004
(57)【要約】      （修正有）【課題】ソース、鰹節、青のりを混ぜずにそのまま解凍でき、手間がかからず、また、袋を開ける時の飛び散りを防ぐことができる冷凍したお好み焼きの収納袋を提供する。【解決手段】鰹節と青のりが混ざったソースにゼラチンを入れ凍らせ、無地のお好み焼き２の上に載せて収納袋に入れる。調理時には、お好み焼きを、電子レンジで解凍させると、同時にゼラチンで固まったソースがそのまま溶け、無地のお好み焼きに、まんべんなく行きわたらせることができる。【選択図】図１
0003150396.tif 000002
【実用新案登録請求の範囲】
【請求項１】
電子レンジ用冷凍食品の無地のお好み焼き鰹節と青のりが混ざったゼラチンで固めたソースを載せること。
【考案の詳細な説明】
【技術分野】
【０００１】  本考案は、電子レンジ用冷凍食品のお好み焼きの上に、お好み焼き表面にゼラチンで固めた鰹節と青のりが混ざったゼラチンで固めたソースを載せたものである。
【背景技術】
【０００２】  電子レンジ用冷凍食品のお好み焼きは、ソース、鰹節、青のりが別々のパックに入っている。
【考案の開示】
【考案が解決しようとする課題】
【０００３】  ソース、鰹節、青のりが別々のパックに入っているため、一つ一つ開けて混ぜないといかず手間がかかること。【０００４】  ソースが凍っており混ぜにくいこと。【０００５】  袋を開ける時、飛び散り易い。
【考案の効果】
【０００６】  電子レンジ用冷凍食品のお好み焼きを、ソース、鰹節、青のりを混ぜずにそのまま解凍でき、手間がかからない。また、袋を開ける時の飛び散りを防ぐことができる。
【考案を実施するための最良の形態】
【０００７】  鰹節と青のりが混ざったゼラチンで固めたソースにゼラチンを入れ凍らせ、無地のお好み焼きの上に載せる。
【実施例】
【０００８】  鰹節と青のりが混ざったゼラチンで固めたソースがのった好み焼きを、電子レンジで解凍させると、同時にゼラチンで固まったソースがそのまま溶け、無地のお好み焼きに、まんべんなく行きわたる。
【産業上の利用可能性】
【０００９】  本考案は、消費者の利便性が上がる食品加工に係る。
【図面の簡単な説明】
【００１０】
【図１】好み焼きの生地の上のゼリーで固めたお好み焼きソース
【符号の説明】
【００１１】１  ゼリーで固めたお好み焼きソース
２  冷凍食品のお好み焼きの生地
【図１】
0003150396.tif 000003
【手続補正書】
【提出日】平成20年11月13日(2008.11.13)
【手続補正１】
【補正対象書類名】実用新案登録請求の範囲
【補正対象項目名】全文
【補正方法】変更
【補正の内容】
【実用新案登録請求の範囲】
【請求項１】
鰹節と青のりが混ざったゼラチンで固めた電子レンジ用冷凍食品のお好み焼きのソース
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
鰹節と青のりが混ざったゼラチンで固めた電子レンジ用冷凍食品のお好み焼きのソースが入った袋
(57)【要約】      （修正有）【課題】作業において自由が利き、作業効率も上がる携帯用エアコンプレッサーを提供する。【解決手段】携帯用エアコンプレッサーにおいて、背負いベルトを設けたことを特徴とする。エアホースが、背中の携帯用エアコンプレッサーから手元の釘打ち用エアガン等に連結されるので自由が利き、作業効率が上がり、一人で作業できて移動が容易になる。【選択図】図１
0003150386.tif 000002
【実用新案登録請求の範囲】
【請求項１】
携帯用エアコンプレッサーにおいて、背負いベルトをもうけたことを特徴とする携帯用エアコンプレッサー
【考案の詳細な説明】
【技術分野】
【０００１】
本考案は、従来のエアコンプレッサーのように定位置に置いて作業をせず、携帯用エアコンプレッサーを背負って作業するので自由が利き便利である。
【背景技術】
【０００２】
今までのやり方だと、道具を親方がいちいち子方に取ってもらわなければならないなど不自由だっためんさえあった。
【考案の開示】
【考案が解決しようとする課題】
【０００３】
エアコンプレッサーを定位置において作業するためエアホースをながくして、作業場所の移動を行っていた。
【課題を解決するための手段】
【０００４】
携帯用エアコンプレッサーにおいて、背負いベルトをもうけたことを特徴とする携帯用エアコンプレッサーにおいてエアホースが、背中の携帯用エアコンプレッサーから手元の釘打ち用エアガン等に連結されるので自由が利き、作業効率があがり、従来のようにおいて置いて釘打ち用エアガンや釘打ち用フィニッシュを落下させることがないなど一人で作業し移動がよういになる。
【考案の効果】
【０００５】
作業効率を上げ、釘打ち用エアガンや釘打ち用フィニッシュなども大切に使える。
【考案を実施するための最良の形態】
【０００６】
本考案は釘打ち用エアガン等においての作業において、携帯用エアコンプレッサーを作業者が背中に背負って作業するために携帯用エアコンプレッサーにベルト取り付け金具を儲け背負う。
【実施例１】
【０００７】
図１は携帯用エアコンプレッサーを背負うベルトをエアコンプレッサーにベルト取り付けのための上部金具４下部金具５をもうけて背負うことを特徴とする
【実施例２】
【０００８】
背負いベルトを儲けた他の態様として、図２は携帯用エアコンプレッサーを収納する収納ケースまたは収納袋８なるものにエアコンプレッサーを入れて収納ケースまたは収納袋８にはベルト取り付けのための上部金具4と下部金具５をとりつけ、これに背負いベルト６をつけて背負うことを特徴とする。
【図面の簡単な説明】
【０００９】
【図１】携帯用エアコンプレッサーの全体概要図と特徴（実施例１）
【図２】携帯用エアコンプレッサーの背負い方の特徴例（実施例２）
【符号の説明】
【００１０】
１釘打ち用エアガン
２釘打ち用フィニッシュ
３エアホース
４上部金具
５下部金具
６背負いベルト
７携帯用エアコンプレッサー
８収納ケース又は収納袋
【図１】
0003150386.tif 000003
【図２】
0003150386.tif 000004